(57)【要約】【課題】  ライターの引火スイッチを安易に押させないチャイルドレジスタントを含み、仕組みが単純で安価に製造できる、使い捨てライター用ハードキャップを提供する。【解決手段】  ライターの引火スイッチが安易に押されるのを防ぐため、外から直接押せなくするハードキャップを被せる。このハードキャップは、取り外し可能な結束バンドをライターとキャップに巻きつけて固定する。結束バンドの取り外しレバーを押して緩めるまでライターからキャップを外せない。キャップと結束バンドからなる構成の為、安価に製造できる。本発明は、以上よりなる使い捨てライター用ハードキャップである。【選択図】図２
2012002389.tif 000002
【特許請求の範囲】
【請求項１】
ライターの引火スイッチが安易に押されることで発生する事故を防ぐ目的で、取り外し可能な結束バンドをライターとキャップに巻きつけて固定し、かつ固定中はライターから外れない形状をもつ、使い捨てライター用ハードキャップ。
【発明の詳細な説明】
【技術分野】
【０００１】
本発明は、使い捨てライターの引火スイッチが安易に押されるのを防ぐライターキャップに関するものである。
【背景技術】
【０００２】
ライターとキャップの固定には、ナイロン製の取り外し可能な結束バンドを用いる。この取り外し可能な結束バンドは、一度締めて固定すると決して外れることがなく、固定解除の際はレバーを押しながらベルト部を緩める（特許文献３参照）。
【先行技術文献】
【特許文献】
【０００３】
【特許文献１】特開平０５−２１５３３６号公報
【０００４】
【特許文献２】特開２００１−１６５４３７号公報
【０００５】
【特許文献３】特開２００４−２９９７８２号公報
【発明の概要】
【発明が解決しようとする課題】
【０００６】
使い捨てライターの引火スイッチが安易に押されることから、事故に繋がるケースがある。
（イ）         
ポケット中の使い捨てライターに対して、引火スイッチが服の外から誤って押される事故。
（ロ）        
幼児のいたずらによる使い捨てライターによる事故。
このような事故から、最近ではチャイルドレジスタント機能が備わった使い捨てライターが登場している（特許文献１参照）。しかし、世の中には既にチャイルドレジスタント機能を持たない既存の使い捨てライターが数多く出回り、ガスがあれば使用期限も数年もつことから、上記のような事故が発生する潜在的可能性が続いている。
【０００７】
ライターケース（特許文献２参照）に簡易ロックを持たせた事故を防止する商品も既に存在する。しかし、これらは使い捨てライターよりもコスト的に高くつき、用途もチャイルドレジスタントではなくライターのカバー的要素が大きい。これでは、世に出回っている使い捨てライター１つ１つへのチャイルドレジスタントを普及しにくい。この為、引火スイッチを安易に押させないチャイルドレジスタントを含むが、使い捨てにできるほどコスト的に安く、手軽に導入し易いものが必要と考えられる。
【課題を解決するための手段】
【０００８】
ライターの引火スイッチが安易に押されるのを防ぎ、かつガス残量も分かるようにする為、ハードキャップをライター上部に被せる形式を取る。このハードキャップは、一般的な取り外し可能な結束バンドをライターとキャップに巻きつけて固定する。結束バンドとキャップの接触箇所はあらかじめ接着してある。固定中は、結束バンドの取り外しレバーからベルト部を解除するまでライターに被せたキャップは外せない。キャップと結束バンドからなる簡単な構成の為、安価に製造できる。本発明は、以上を特徴とする使い捨てライター用ハードキャップである。
【０００９】
キャップには、装着時にライターの引火スイッチがキャップ上から押されるのを防ぐ硬さ、及びライター使用後の金属部の残熱に対する耐熱が求められる。この条件を満たす材質であれば、ナイロンやプラスチック、硬質ゴム、木材、アクリルなど材質は特定しない。本発明は、以上を特徴とする使い捨てライター用ハードキャップである。
【００１０】
取り外し可能な結束バンドは、ベルト部を固定部で締めて固定すると取り外しレバーを押すまで人の力では解除できない。また、結束バンドの取り外しレバーは幼児が意識して解除しずらい（レバーを押してベルトを引く必要がある）。この安価で、幼児に対してのチャイルドレジスタントになりうる結束バンドをキャップに装着する。本発明は、以上を特徴とする使い捨てライター用ハードキャップである。
【００１１】
固定中にライターと結束バンドは横にずれやすい。それを解消する１つの形状A（図１及び図２参照）として、キャップ下部分にライターを巻いた結束バンドを通すループを設け、固定中に結束バンドが横にずれるのを防がせる。さらにキャップを縦長にすることで、結束バンドのベルト部分が短くなり横にずれにくくなる。本発明は、以上を特徴とする使い捨てライター用ハードキャップである。
【００１２】
また、ずれを防ぐ２つ目の形状B（図３及び図４参照）として、結束バンドを通すループを設けたりやキャップを縦長にすることなく、ライター底に当たる結束バンド部分にズレ防止用スポンジ又はゴムを付け摩擦を高くすることで、固定中にライターと結束バンドが横にずれないようにする。本発明は、以上を特徴とする使い捨てライター用ハードキャップである。
【００１３】
また、ずれを防ぐ３つ目の形状C（図５及び図６参照）として、ズレ防止用スポンジ又はゴムを内側に付けたクリップ状キャップをライターに挟み、キャップ上から横向きに結束バンドを巻いて圧迫固定し、摩擦でライターがキャップから固定中に外れないようにする。本発明は、以上を特徴とする使い捨てライター用ハードキャップである。
【発明の効果】
【００１４】
既に取り外し可能な結束バンドは安価に提供されている。あとはキャップ部を安価に製作することで、このライター用ハードキャップが安く提供でき、チャイルドレジスタント機能を持たない既存の使い捨てライター１つ１つへ導入し易くできる。
【００１５】
このハードキャップを被せて使い捨てライターに固定することにより、服の中に入れて人間の力でどんなに押しても引火スイッチが押される事故は起こらなくなる。また、固定中に幼児が扱った際も、キャップ上部の結束バンドのレバーを押しながらベルト部を外す操作が必要な為、幼児には外しずらい構造となる。
【図面の簡単な説明】
【００１６】
【図１】図１は本発明の形状Aの斜視図である。
【図２】図２は本発明の形状Aの使用状態を示す斜視図である。
【図３】図３は本発明の形状Bの斜視図である。
【図４】図４は本発明の形状Bの使用状態を示す斜視図である
【図５】図５は本発明の形状Cの斜視図である。
【図６】図６は本発明の形状Cの使用状態を示す斜視図である
【発明を実施するための形態】
【００１７】
以下、本発明の形状A（図１及び図２参照）の実施形態を説明する。
（イ）         
装着対象の使い捨てライター（4）の上側に、形状Aのキャップ部（6）を被せる。
（ロ）        
結束バンド-ベルト部（2）を（4）へまわし、形状Aのキャップ上の結束バンドを通すループ穴（7）を通す。
（ハ）       
結束バンド-固定部（1）へ（2）を通して、きつく上に引いて固定し、キャップの装着完了。
（ニ）        
キャップの解除は、結束バンド-取り外しレバー（3）を押下しながら、（2）を下に引いて緩め、キャップをはずす。
本発明は以上のとおり、結束バンドの固定中はキャップが外れない構造をとる。キャップ装着中は、使い捨てライターの引火スイッチは押せない。また、（1）へ（2）を通す際、一方向しか進まず、きつく締められる。（3）の押下により、反対方向へ緩めることができる。この結束バンドをライターに被せたキャップごと締め上げ固定し、（7）及び縦長形状の(6)により結束バンドがたわんで固定中に外れるのを防止する。
【００１８】
以下、本発明の形状B（図３及び図４参照）の実施形態を説明する。
（ホ）        
装着対象の使い捨てライター（4）の上側に、形状Bのキャップ部（8）を被せる。
（ヘ）        
結束バンド-ベルト部（2）を（8）へまわす。その際、（4）の底部にズレ防止用スポンジ又はゴム（5）が当たるようにする。
（ト）          
結束バンド-固定部（1）へ（2）を通して、きつく上に引いて固定し、キャップの装着完了。
（チ）        
キャップの解除は、結束バンド-取り外しレバー（3）を押下しながら、（2）を下に引いて緩め、キャップをはずす。
形状Aと似た構造だが、次の点で異なる。（4）の底部に（5）が当たるようにすることで、摩擦が大きくズレなくなり結束バンドがたわんで固定中に外れるのを防止する。その為、（8）が縦短形状でも良くなり、さらに形状Aの（7）は必要なくなる。
【００１９】
以下、本発明の形状C（図５及び図６参照）の実施形態を説明する。
（リ）         
装着対象の使い捨てライター（4）の上側に、形状Cのクリップ上キャップ部（9）を被せる。
（ヌ）         
結束バンド-ベルト部（2）を（9）へまわす。
（ル）       
結束バンド-固定部（1）へ（2）を通して、きつく上に引いて固定し、キャップの装着完了。
（ヲ）         
キャップの解除は、結束バンド-取り外しレバー（3）を押下しながら、（2）を下に引いて緩め、キャップをはずす。
形状Aと形状Bとは異なり、クリップ上キャップを結束バンドで上から締め上げ、ライターとキャップ間のズレ防止用スポンジ又はゴム（5）にて摩擦によりズレなく固定される。形状Aと形状Bのように、キャップ外からライターの引火スイッチが押されるのを防ぐことができる。また、（9）のクリップ形状により使い捨てライターの厚みに依存しない利点がある。
【符号の説明】
【００２０】
（1）  結束バンド-固定部
（2）      結束バンド-ベルト部
（3）      結束バンド-取り外しレバー
（4）  装着対象の使い捨てライター
（5）  ズレ防止用スポンジ又はゴム
（6）  形状Aのキャップ部（縦長）
（7）  形状Aのキャップ上の結束バンドを通すループ穴
（8）  形状Bのキャップ部（縦短）
（9）  形状Cのキャップ部（クリップ状キャップ）
【図１】
2012002389.tif 000003
【図２】
2012002389.tif 000004
【図３】
2012002389.tif 000005
【図４】
2012002389.tif 000006
【図５】
2012002389.tif 000007
【図６】
2012002389.tif 000008